(57)【特許請求の範囲】
【請求項１】
注ぎ口縁部（１）で終わる外部表面（９）および内部表面（８）を備え、前記内部表面（８）は液体を注ぐのに適したものであり、前記外部表面（９）は前記注ぎ口縁部（１）から外部表面に沿って流れる液体が外部突出部（４）を越えて流れないように構成された外部突出部（４）を備えており、
前記内部表面は、液体の吐出しの終わりに吐出し口または注ぎ口を後方に傾けたとき、内部表面上の内部突出部（５）が注ぎ口縁部（１）の前上方で液体の流れを終えるように構成された内部突出部（５）を備えたことを特徴とする、液体を注ぐための吐出し口または注ぎ口。
【請求項２】
前記外部突出部（４）はほぼ下方向に向く突端を有している請求項１に記載の液体を注ぐための吐出し口または注ぎ口。
【請求項３】
前記外部突出部（４）は注ぎ口縁部（１）のかなり近くに位置している請求項１または２に記載の液体を注ぐための吐出し口または注ぎ口。
【請求項４】
前記外部突出部（４）は横溝または切り込みを画成する請求項１〜３の何れか１項に記載の吐出し口または注ぎ口。
【請求項５】
別部材として容器に対し取り外し可能に取り付けるための手段を備えている、請求項１〜４の何れか１項に記載の吐出し口または注ぎ口。
【請求項６】
前記外部突出部（４）は前記外部表面に段部を構成する請求項１〜５の何れか１項に記載の吐出し口または注ぎ口。
【請求項７】
前記内部突出部（５）および外部突出部（４）は、内部表面および外部表面（８，９）に１段の段部を構成する請求項６に記載の吐出し口または注ぎ口。
【請求項８】
前記吐出し口は取り囲まれた流路からなり、前記内部突出部（５）は前記流路の絞り部となっている請求項１〜７の何れか１項に記載の吐出し口または注ぎ口。
【請求項９】
注ぎ口縁部（１）で終わる前記内部および外部表面（８，９）を有し、前記内部表面（８）は、液体を注ぐのに適しているとともに、液体の吐出しの終わりに吐出し口または注ぎ口を後方に傾けたとき、内部表面（８）上の内部突出部（５）が注ぎ口縁部（１）の前上方で液体の流れを終えるように突出する内部突出部（５）を有しており、
この内部表面の前記内部突出部が端縁を備え、かつ外部表面はこの外部表面の液体の流れが外部突出部（４）に滴りを形成し、かつ外部突出部（４）を流れ出ないように構成された外部突出部（４）を備え、さらに、
外部突出部（４）および内部突出部（５）が、内部および外部表面（８，９）に単一の段部を備えた、液体を注ぐための吐出し口または注ぎ口。
【請求項１０】
前記外部突出部（４）は外部表面に溝部を形成してなる請求項９に記載の液体を注ぐための吐出し口または注ぎ口。
【請求項１１】
付属部材とこの付属部材を吐出し口または注ぎ口に取り付けるための手段と外部突出部（４）とを有し、この外部突出部（４）は、使用時吐出し口または注ぎ口の下方外側に位置するよう付属部材に配置され、かつこの吐出し口の注ぎ口縁部からこの吐出し口の外部表面に沿って流れる液体がこの外部突出部（４）を越えないように付属部材に対し配置されており、
付属部材は、内部表面上の内部突出部（５）が注ぎ口縁部（１）の前上方で液体の流れを終えるように構成された内部突出部（５）を備えた、注ぎ容器の吐出し口または注ぎ口に用いる液垂れ回避用付属品。
【請求項１２】
前記付属部材は吐出し口の外側に嵌め込まれて使用されるカラーである請求項１１に記載の液垂れ回避用付属品。
【請求項１３】
前記付属部材は前記吐出し口の内側に嵌め込まれて使用されカラーである請求項１１に記載の液垂れ回避用付属品。
【請求項１４】
前記カラーは、吐出し口の外側に嵌め込まれるクリップにより前記吐出し口に取り付け可能に構成された請求項１２または１３に記載の液垂れ回避用付属品。
【請求項１５】
前記カラーは適切な接着剤を用いて前記吐出し口に取り付け可能に構成された請求項１２または１３に記載の液垂れ回避用付属品。
【発明の詳細な説明】
【０００１】
（技術分野）
本発明は、ティーポット、水差し、やかん、注入用金属容器などの製品において一般的に使用される吐出し口および注ぎ口の改良に関する。これは排他的に列挙したものではなく、また、この改良は、液体を注ぐために使用される如何なる製品に組み込まれてもよい。本発明の目的は、流れを改善し、液垂れを最小限にする吐出し口または注ぎ口を創作することにある。
【０００２】
（発明の背景）
良好な注入および、吐出し口または注ぎ口の表面における最小限の液垂れのためには、出口の形状は鋭い端縁を有しているべきである。しかしながら、多くの製品は、美的および／または衛生的観点から、陶磁器あるいはガラスコートまたはつや出し加工したその他の材料から形成されている。これらの材料では、特に製品において所望の鋭い注ぎ口を提供することは、不可能ではないかもしれないが困難である。
【０００３】
（発明の要約）
我々は、吐出し口および注ぎ口の改良は可能であると理解した。特に、吐出し口および注ぎ口からの液垂れを減少することができ、仮に液垂れが生じた場合でも、この液垂れが注入容器の外部表面を流れ落ちるという問題を低減できることがわかった。液垂れの問題は、例えばティーポットなどの食卓用容器において特に注目される。
【０００４】
本発明の観点は、主注ぎ口または端縁の下部に、補助注ぎ口を設けた吐出し口または注ぎ口を提供することである。この補助注ぎ口の利点は、主注ぎ口または端縁からの液垂れが減少することにある。これは、外部表面上の液垂れを、液体が注がれる容器の中に落ちるように案内し、さらに、液垂れが吐出し口または注ぎ口から落ちるのを防止することによって達成される。また、主注ぎ口からの液垂れは、液体の流れを主注ぎ口の手前で終わらせることによって低減される。
【０００５】
第一の観点においては、液体の流れが内部表面と外部表面とを有する注ぎ口縁部で終了するような、液体を注ぐための吐出し口または注ぎ口が提供される。この内部表面は、液体を注ぐのに適しており、さらに、液体を注ぎ終わった後に吐出し口または注ぎ口を傾けたときに液体の流れを終えるように、表面から突出して配置された内部突出部を有する。
【０００６】
このように内部表面の突出部により液体の流れが注ぎ口縁部の手前で終わり、この結果注ぎ口に見られる液垂れが減少する。
【０００７】
内部突出部は、吐出し口または注ぎ口の注ぎ口縁部の近傍に配置され、フェンス状または畝状の構造を有することが好ましい。これによって液体の流れが適切な地点で終了する。
【０００８】
第二の観点においては、内部表面および外部表面を備えている、液体の流れを注ぎ口縁部で終了させる吐出し口または注ぎ口が提供される。この内部表面は、液体を注ぐのに適しており、外部表面は、注ぎ口縁部から外部表面に沿って流れる液体が外部突出部を超えて通過しないように配置された外部突出部を有する。
【０００９】
この外部突出部は、外部表面上の全ての液垂れを、液体が注がれる容器の中に案内する機能を備えている。液体は外部突出部を通過して外部表面を流れない。さらに、最後に残った液滴は表面張力によって突出部にくっ付いて残る。したがって、外部突出部は、下方に向けられていることが好ましく、また、突出部から落ちるいずれの液垂れも容器に必ず落ちるように注ぎ口に近いことが好ましい。
【００１０】
本発明は、第一および第二の観点の組み合わせとすることができる。このような組み合わせの実施態様において、内部および外部突出部は、内部および外部表面に１段の段部を構成する。
【００１１】
（実施態様の説明）
図１乃至図２に示された実施態様は、吐出し口であるが、取り囲まれていない注ぎ口とすることもできる。この吐出し口は、注ぎ口１、内部表面８、１０および外部表面９を備えている。この内部表面は内部突出部５を有し、外部表面は外部突出部４を有している。図示されているように、内部突出部５および外部突出部４は１段の段部を構成する。これにより、内部表面は第１内部表面８と第２内部表面１０とに分けられている。
【００１２】
この実施態様のものは、注ぎ口端縁下方の吐出し口あるいは注ぎ口縁部を横方向に横切るように配置された溝、切り込みまたは刻み目を画成する外部突出部を有する。吐出し口または注ぎ口端縁近くの前記溝の端縁は、材料形成工程において可能性のある鋭い端縁となるように製造されるのが好ましく、また、溝または切り込みの側面は垂直または略垂直となるように製造されるのが好ましい。この端縁は補助注ぎ口として考えられ記述されている。また、この製品の吐出し口または注ぎ口部分の容器内部表面は、溝または切り込みを、起立したフェンス状に形成することにより、液体を注ぐときに液体の流れを改善するとともに液体の流れの終結を改善することができる。
【００１３】
類似の効果は、上記実施態様に記述されたような溝、切り込みおよび刻み目の端縁と同じような位置に、補助的注ぎ口を形成するように、吐出し口または注ぎ口縁部の外部表面に付加的構成要素を施すことによっても達成できる。本発明のこの実施態様において、この付加的構成要素は、注ぎ容器に恒久的に取り付けられても良いし、あるいは、既存の吐出し口あるいは注ぎ口縁部に対し付加あるいは着脱可能な構成要素とされても良い。また、この発明は、液体を注ぐように特別に設計されたものでない容器を、注ぎ口縁部を備えた容器に変質させるために、付加的構成要素の中に組み込まれたものでも良い。
【００１４】
本発明の好適な実施態様のものは、製品が水平位置にあるときに、製品内の液面の最大高さより上に立ち上げられた注ぎ口または吐出し口を有する。この立ち上げ量は、液体を注ぐときの重要な利益を得るとともに注入時の液体の溢出を抑制するために、少なくとも５ｍｍでなければならない。
【００１５】
図面はティーポットに適用された場合の本発明を示すが、本発明は液体を注ぐために用いられるやかん、水差しあるいは他の容器、製品にも同様に適用できる。
【００１６】
図１は、本発明を採り入れたティーポットの吐出し口の側面図である。この吐出し口の注ぎ口縁部１は、製造工程によりできるだけ鋭く形成されている。注ぎ口縁部の下方には、横断溝２が設けられている。注ぎ口縁部３近くのこの溝の表面は垂直またはほぼ垂直であって、この溝の端縁ができる限り鋭く形成された補助注ぎ口４を形成している。
【００１７】
図２は垂直方向の中心線で切断した断面図を示す。溝または切り込み２の位置における吐出し口の内部表面は、内部突出部である立ち上げ部またはフェンス５を示している。
【００１８】
図３は、ティーポットに採用された本発明を示す。この図は、本発明の好ましい実施態様を示しており、ティーポット内の液体の最大高さ以上に立ち上げられた吐出し口の端縁１を備えている。なお、液体の最大高さは、液体が蓋口をオーバーフローする位置で示されている。この少なくとも５ｍｍの立ち上げ６により、液体を注ぐ場合および液体の溢出を抑制する場合における重要な利益を達成することができる。したがって、立ち上げが小さい場合は、利益が減少する。
【００１９】
図４は、補助注ぎ口４の正面図を示し、補助注ぎ口４の正面、注ぎ口縁部１および横断溝２の位置を示す。注ぎ口縁部に近い溝の略垂直な表面は直接的には見えないが、図面には示されている。
【００２０】
本発明の実施態様の作動は、吐出し口または注ぎ口から液体を注ぐとき、次のように行われる。液体は畝状またはフェンス状の内部突出部を超えて通過する。図示された実施態様では、この突出部が絞り部となり、この部分で液体の流れ速度が増加する。注ぎを終えた後容器及び吐出し口を通常の位置に戻すと、注ぎ口縁部で起こる液垂れの危険を低減するように、流れが注ぎ口縁部手前の突出部により遮られる。
【００２１】
液垂れが注ぎ口縁部で形成される場合、液垂れは外部突出部まで外部表面に沿って流れるが、外部突出部で液体が注がれる容器の中に落下するか、または最後の液垂れが付着したまま残る。したがって、外部突出部下方の表面、すなわち、例えばティーポットが置かれている机の表面のような注ぎが行われるいかななる表面も濡らさずに済む。これは大きな表面積をなす外部突出部の突端の性質によるものである。
【００２２】
好適な実施態様における吐出し口の寸法は、ここに論じられるものに略等しい。図１および２を参照するに、吐出し口の最小の直径は、絞り部５における吐出し口の直径であるが、約８ｍｍである。注ぎ口縁部１における吐出し口の内部の直径は、約１３ｍｍである。内部突出部の高さは、内部表面８と１０との高さの差であり、約５ｍｍとなる。好適な実施態様においては、内部突出部は角張っているが、吐出し口の全ての実施態様で必要とするものではない。外部突出部は角張っていなければならず、外部表面９から約７ｍｍ突出していなければならない。
【００２３】
注ぎ口縁部１と外部突出部４との距離は、約１３ｍｍでなければならない。注ぎ口縁部１から内部突出部までの距離、すなわち内部表面１０の長さは約１０ｍｍでなければならない。
【００２４】
図３に関し、容器７内の液体の最大高さより上部にある注ぎ口縁部１の高さ（すなわち、距離６）は、液体が最初に容器から注がれるときの液体の溢出を防止するために約５ｍｍでなければならい。
【００２５】
本発明の好適な実施態様は、殆どの材料から作られるが、セラミックスの場合は良好な製造を可能とし、最終製品の洗浄を容易にする。他の適切な材料には金属、ゴム吹き込み成形樹脂が含まれる。
【００２６】
本発明をティーポットに適用した実施態様では、四つ割りの石膏型で成型した陶土スリップグレイ（earthenware slip clay）を使用して作っても良いことがわかる。製品が１０００℃に締め焼きされて適度な硬さ（半乾き程度）になると、これにより製品は２０％ほど収縮する。この段階の焼成は、概略８時間行われる。製品のつや付けは、一旦焼成炉から製品を取りだし、冷却されてから行われる。そして、２回塗りのつや付けが行われた後、１０６０℃に再焼成される。
【００２７】
本発明の他の実施態様では、液垂れを防止するために、従来の吐出し口に取り付けられる付属品が考えられる。この付属品は既存の吐出し口に固定される吐出し口またはカラー（collar）を形成し、前述の液垂れを防止する特徴がこの付加カラーに採り入れられている。
【００２８】
付属品の他の実施態様は、上述の他の突出部と同様に１個の適切な材料からなる尖ったものとすることもできる。この実施態様のものを吐出し口に取り付ける手段は、吐出し口の周りまたは注ぎ口縁部の上に装着することにより、吐出し口に対し付属品を固定する要に、適切な材料から作られた適切な接着剤および／またはクリップを採り入れることができる。
【図面の簡単な説明】
本発明の実施態様は、単なる例示として、以下の図面に基づいて、ここに記述されている。
【図１】  この発明を具体化した吐出し口の外面図である。
【図２】  この発明を具体化した吐出し口の断面図である。
【図３】  この発明を具体化した図１及び図２の吐出し口を持ったティーポットの側面図である。
【図４】  この発明を具体化した吐出し口の正面図である。
【図１】
0004349748.tif 000002
【図２】
0004349748.tif 000003
【図３】
0004349748.tif 000004
【図４】
0004349748.tif 000005